(57)【特許請求の範囲】
【請求項１】
対象者の認知機能を支援するための複数項目の提示情報のうち１以上の項目を前記対象者に提示する提示部、及び選択部を有し、前記提示部が前記１以上の項目を提示している状態で前記選択部によっていずれかの前記項目が選択された場合は選択された前記項目の前記提示情報を前記提示部に提示させるように構成された第１装置と、
前記提示情報の前記項目ごとに前記対象者の認知機能を表す認知状態情報が入力される入力部を有する第２装置とを備え、
前記第２装置は、前記入力部から入力された前記認知状態情報をもとに、前記提示部が提示する前記項目を決定するように構成されたことを特徴とする認知機能支援システム。
【請求項２】
前記第２装置は、前記入力部から入力された前記認知状態情報をもとに、前記複数項目の前記提示情報のうち認知機能が低い前記提示情報の前記項目を優先して提示するように、前記提示部が提示する前記項目を決定することを特徴とする請求項１に記載の認知機能支援システム。
【請求項３】
前記第２装置は、前記提示部が提示する前記１以上の項目として特定項目を含むように、前記提示部が提示する前記項目を決定することを特徴とする請求項１又は２に記載の認知機能支援システム。
【請求項４】
対象者の認知機能を支援するための複数項目の提示情報のうち１以上の項目を前記対象者に提示する提示装置の前記項目ごとに入力部に入力された前記対象者の認知機能を表す認知状態情報を受け付けるステップと、
前記認知状態情報をもとに、前記提示装置が提示する前記項目を決定するステップと、
をコンピュータに実行させるためのプログラム。
【発明の詳細な説明】
【技術分野】
【０００１】
本発明は、認知機能支援システム及びそのプログラムに関する。
【背景技術】
【０００２】
従来、認知機能障害者が常時携帯する携帯情報端末と、コンピュータとで構成される認知機能障害者用支援装置があった（例えば特許文献１参照）。
【０００３】
特許文献１の認知機能障害者用支援装置では、認知機能障害者の障害特性に合わせて、習慣化訓練モードや代償手段獲得訓練モードでスケジュール管理を行っている。習慣化訓練モードは、現在のスケジュールや次のスケジュールに対して現在からの相対時刻を基準に表示するモードであり、代償手段獲得訓練モードは、１日のスケジュールを絶対時刻を基準にして時系列で表示するモードである。
【先行技術文献】
【特許文献】
【０００４】
【特許文献１】特開２００５−２５８９９５号公報
【発明の概要】
【発明が解決しようとする課題】
【０００５】
認知機能障害が発生すると、記憶障害や見当識障害など症状が発生する。記憶障害には短期記憶障害と長期記憶障害とがあり、短期記憶障害は新しく脳に入ってきた情報を記憶できない記憶障害であり、長期記憶障害は以前に記憶していた情報を思い出せなくなる記憶障害である。見当識障害では、時間・場所・人などの状況について正しく認識する機能が低下する。個々の認知機能障害者によって、記憶障害や見当識障害が発生する項目は様々であるが、上述した特許文献１の認知機能障害者用支援装置はスケジュール管理を行うのみで、認知機能障害者（対象者）の認知機能の状態に応じた支援が行えないという問題があった。
【０００６】
本発明は上記課題に鑑みてなされ、対象者の認知機能の状態に応じた支援を行うことができる認知機能支援システム及びそのプログラムを提供することを目的とする。
【課題を解決するための手段】
【０００７】
本発明の認知機能支援システムは、対象者の認知機能を支援するための複数項目の提示情報のうち１以上の項目を前記対象者に提示する提示部、及び選択部を有し、前記提示部が前記１以上の項目を提示している状態で前記選択部によっていずれかの前記項目が選択された場合は選択された前記項目の前記提示情報を前記提示部に提示させるように構成された第１装置と、前記提示情報の前記項目ごとに前記対象者の認知機能を表す認知状態情報が入力される入力部を有する第２装置とを備え、前記第２装置は、前記入力部から入力された前記認知状態情報をもとに、前記提示部が提示する前記項目を決定するように構成されたことを特徴とする。
【０００８】
本発明のプログラムは、対象者の認知機能を支援するための複数項目の提示情報のうち１以上の項目を前記対象者に提示する提示装置の前記項目ごとに入力部に入力された前記対象者の認知機能を表す認知状態情報を受け付けるステップと、前記認知状態情報をもとに、前記提示装置が提示する前記項目を決定するステップと、をコンピュータに実行させるためのプログラムである。
【発明の効果】
【０００９】
本発明の認知機能支援システムによれば、対象者の認知機能の状態に応じた支援を行うことができる。
【００１０】
本発明のプログラムによれば、対象者の認知機能の状態に応じた支援を行うことができる。
【図面の簡単な説明】
【００１１】
【図１】実施形態の認知機能支援システムのシステム構成図である。
【図２】実施形態の認知機能支援システムのブロック図である。
【図３】図３Ａ〜図３Ｃは、実施形態の第１装置の提示部が提示する項目の一例を示す説明図である。
【図４】図４Ａ〜図４Ｅは、実施形態の第１装置の提示部が提示する提示情報の一例を示す説明図である。
【図５】実施形態の認知機能支援システムの他の構成を示すシステム構成図である。
【発明を実施するための形態】
【００１２】
本実施形態は、認知機能支援システム及びそのプログラムに関し、より詳細には、対象者の認知機能を支援するための認知機能支援システム及びそのプログラムに関する。
【００１３】
以下に、本実施形態の認知機能支援システム及びそのプログラムについて図面を参照しながら説明する。ただし、以下に説明する構成は本発明の一例にすぎない。本発明は、以下の実施形態に限定されず、本発明に係る技術的思想を逸脱しない範囲であれば、設計等に応じて種々の変更が可能である。
【００１４】
本実施形態の認知機能支援システムは、対象者に対して認知機能を支援するために用いられる。認知機能の支援対象である「対象者」とは、認知機能の支援を受ける対象者であり、認知症を発症して介護施設又は自宅で介護されている人や、介護を必要とせずに生活しているが認知機能が低下している人などである。図１は、本実施形態の認知機能支援システム１０を、高齢者などが入居する介護施設１００に適用した例を示しており、介護施設１００の入居者が対象者である場合を例に説明する。
【００１５】
認知症では記憶障害や見当識障害などの症状が発生する。記憶障害や見当識障害を有する対象者は、日時、朝・昼・晩などの大まかな時間帯、季節、場所、人についての状況の把握が困難になり、これから行う事柄（スケジュール）についての記憶や過去に行った事柄についての記憶が曖昧になる。本実施形態の認知機能支援システムは、このような対象者に、認知機能に関わる提示情報を提示することによって、対象者に状況の把握や記憶の定着を促し、認知機能の低下を抑制したり、認知機能の改善を図っている。対象者に提示する「提示情報」とは、認知機能の低下によって発症する記憶障害及び見当識障害に関連する情報であり、複数項目の情報がある。この種の提示情報としては、日時の情報、朝・昼・晩などの大まかな時間帯の情報、季節の情報、場所の情報、対象者の人間関係についての情報、これから行う事柄（スケジュール）についての情報、過去に行った事柄についての情報などがある。
【００１６】
本実施形態の認知機能支援システム１０は、第１装置１（提示装置）と、第２装置２（認知機能支援装置）とを備える。
【００１７】
第１装置１は、特定の対象者に対応付けられており、対応付けられた対象者によって専有的に使用される。第１装置１には個別の識別情報が割り当てられており、第２装置２には、第１装置１の識別情報と、第１装置１に対応付けられた対象者の情報とが関連付けて登録されている。なお、複数の対象者が存在する場合には複数の対象者の各々に対応付けられた第１装置１が存在する。
【００１８】
第１装置１には、例えば対象者である高齢者が携帯する携帯型（例えばスマートフォン、タブレット端末、人形型の端末など）の端末装置１Ａや、対象者の部屋１０１に設置されたテレビ受像機などの端末装置１Ｂなどがある（図１参照）。
【００１９】
第１装置１は、図２に示すように、提示部１１と、選択部１２と、通信部１３と、記憶部１４と、制御部１５とを備える。
【００２０】
提示部１１は、例えば液晶ディスプレイなどの表示装置である。提示部１１は、対象者の認知機能を支援するための複数項目の提示情報のうち、１以上の項目を表示する機能を有している。提示部１１は、１以上の項目を表示している状態でいずれかの項目が選択部１２によって選択された場合、選択された項目の提示情報を表示する機能を有している。
【００２１】
図３Ａは提示部１１に表示される画面の一例を示している。本実施形態では、提示部１１の画面に３つのボタンＢ１〜Ｂ３が表示されている。３つのボタンＢ１〜Ｂ３は、互いに異なる項目の提示情報に対応している。各々のボタンＢ１〜Ｂ３には、操作範囲を表す四角形の枠線の内側に、対応する提示情報の項目を示す説明文が表示されている。図３Ａの例では、上側のボタンＢ１は、場所という項目に対応したボタンであり、「ここはどこ」という説明文が表示されている。中央のボタンＢ２は、時（季節）という項目に対応したボタンであり、「いまはいつ」という説明文が表示されている。下側のボタンＢ３は、人という項目に対応したボタンであり、「このひとだれ」という説明文と人物（例えば対象者を担当する介護者）の写真とが表示されている。図３Ａの例では、ボタンＢ３内の一点鎖線で囲まれた領域Ｐ１が、人物の写真を表示する領域となる。なお、提示部１１は、端末装置１Ａ，１Ｂが内蔵するスピーカから音声を出力してもよい。
【００２２】
選択部１２は、例えば提示部１１を構成する液晶ディスプレイに設けられた静電式又は感圧式のタッチパネルである。提示部１１の画面に表示されたボタンＢ１〜Ｂ３のいずれかに触れると、選択部１２から制御部１５に選択したボタンを示す信号が出力される。ここにおいて、提示部１１の画面に表示されたボタンＢ１〜Ｂ３に「触れる」とは、手の指で触れる操作や、入力用のペンなどで触れる操作を含んでいる。
【００２３】
通信部１３は、無線局の免許が不要な通信方式で無線通信を行う通信回路であり、例えばＷｉ−Ｆｉ（登録商標）規格に準拠した無線通信方式で、無線通信を行う。なお、通信部１３の無線通信方式は無線局の免許が不要な通信方式であれば、他の通信方式でもよく、Ｂｌｕｅｔｏｏｔｈ（登録商標）規格に準拠した無線通信方式などでもよい。
【００２４】
記憶部１４は、例えばＲＯＭ（Read Only Memory）とＲＡＭ（Random Access Memory）とを有している。記憶部１４には、例えば制御部１５が実行するプログラムが記憶されている。また、記憶部１４は、通信部１３が第２装置２から受信した複数項目の提示情報（回答情報、質問情報など）を記憶していてもよい。
【００２５】
制御部１５は主なハードウェア要素としてコンピュータを備える。コンピュータは、メモリが別に接続されるＣＰＵ（Central Processing Unit）又はメモリを一体に備えるマイコン（microcontroller）などから選択されるデバイスを備える。この種のデバイスはプログラムを実行するプロセッサを備えており、本実施形態ではプロセッサが記憶部１４に記憶されたプログラムを実行することによって第１装置１の各種の機能が実現される。
【００２６】
制御部１５が備えるプロセッサが実行するプログラムは、例えば記憶部１４に記憶された状態で提供される。なお、制御部１５が備えるプロセッサが実行するプログラムは、光学ディスク、ハードディスク、半導体メモリのような記録媒体に書き込まれた状態で提供されてもよいし、インターネット又は移動体通信網のような電気通信回線を通して提供されてもよい。
【００２７】
第２装置２は、対象者の認知機能を支援する介護者によって使用される。第２装置２には、介護者が携帯するタブレット型のコンピュータ２Ａや、介護者の詰め所１０２に配置されたノート型又はデスクトップ型のコンピュータ２Ｂなどである（図１参照）。
【００２８】
第２装置２（コンピュータ２Ａ，２Ｂ）は、図２に示すように、表示部２１と、入力部２２と、通信部２３と、記憶部２４と、制御部２５とを備える。
【００２９】
表示部２１は、例えば液晶ディスプレイなどの表示装置である。表示部２１は、各々の対象者について、提示情報の項目ごとに対象者の認知機能を表す認知状態情報を介護者に入力させるための入力画面を表示する機能を有している。また、表示部２１は、第１装置１の提示部１１に提示させる提示情報の内容（例えば、時間・場所・人・スケジュールなどの各項目の提示情報）を入力するための入力画面を表示する機能も有している。
【００３０】
入力部２２は、例えば表示部２１を構成する液晶ディスプレイに設けられたタッチパネル、又は、キーボードとマウスとを備えた入力装置などである。入力部２２から入力された入力信号は制御部２５に出力される。介護者は、例えば入力部２２を用いて、複数項目の提示情報の項目ごとに、対象者の認知機能を表す認知状態情報を入力したり、提示情報の内容を入力したりする。
【００３１】
通信部２３は、無線局の免許が不要な通信方式で無線通信を行う通信回路であり、第１装置１と同じ無線通信方式（例えばＷｉ−Ｆｉ（登録商標）規格に準拠した無線通信方式）で、無線通信を行う。なお、通信部２３の無線通信方式は無線局の免許が不要な通信方式であれば、Ｂｌｕｅｔｏｏｔｈ（登録商標）規格に準拠した無線通信方式などでもよい。
【００３２】
記憶部２４は例えばＲＯＭとＲＡＭとを有している。記憶部２４には、例えば制御部２５が実行するプログラムや、入力部２２を用いて入力された対象者の認知機能を示す認知状態情報や、提示情報の内容や、第１装置１と第２装置２との間で授受されるデータなども記憶する。
【００３３】
制御部２５は主なハードウェア要素としてコンピュータを備える。コンピュータは、メモリが別に接続されるＣＰＵ又はメモリを一体に備えるマイコンなどから選択されるデバイスを備える。この種のデバイスは、プログラムを実行するプロセッサを備えており、本実施形態ではプロセッサが記憶部２４に記憶されたプログラムを実行することによって第２装置２の各種の機能が実現される。制御部２５が備えるプロセッサが実行するプログラムは、例えば記憶部２４に記憶された状態で提供される。なお、制御部２５が備えるプロセッサが実行するプログラムは、光学ディスク、ハードディスク、半導体メモリのような記録媒体に書き込まれた状態で提供されてもよいし、インターネット又は移動体通信網のような電気通信回線を通して提供されてもよい。
【００３４】
制御部２５は、入力部２２から入力された対象者の提示情報の項目ごとの認知状態情報を受け付けると、この認知状態情報をもとに、対象者に対応付けられた第１装置１の提示部１１に提示させる提示情報の項目を決定する。制御部２５は、第１装置１の提示部１１に提示させる提示情報の項目を決定すると、決定した項目を記憶部２４に記憶させる。そして、制御部２５は、通知信号の送信を指示する信号を入力部２２から受け付けると、提示部１１に提示させると決定した項目を記憶部２４から読み出し、読み出した項目を示す通知信号を通信部２３から第１装置１に送信させる。
【００３５】
次に、本実施形態の認知機能支援システム１０の動作について説明する。
【００３６】
介護者は、対象者の生活状況や第１装置１の使用状況などに基いて、複数項目の提示情報のそれぞれについて対象者の認知機能を評価し、当該対象者について提示情報の項目ごとに認知機能を示す認知状態情報を入力部２２を用いて入力する。介護者は、個々の項目について対象者の認知機能を複数段階で評価し、認知機能のレベルを示す情報を認知状態情報として入力すればよい。なお、介護者は、対象者が行った認知症レベルを評価する標準的なテスト（例えばＭＭＳＥ（Mini Mental State Examination）など）を行った結果を、入力部２２を用いて入力してもよい。この場合、第２装置２の制御部２５は、介護者によって入力された認知状態情報を、標準的なテストによって得られた認知症レベルで補正してもよい。
【００３７】
入力部２２を用いて提示情報の項目ごとに対象者の認知状態情報が入力されると、制御部２５は、入力部２２を用いて入力された項目ごとの認知状態情報を受け付け、当該対象者に対応付けられた第１装置１の提示部１１が提示する１以上の項目を決定する。制御部２５は、当該対象者に対応付けられた第１装置１の識別情報を宛先アドレスとし、決定した提示情報の項目を送信データに含めた通知信号を作成し、この通知信号を通信部２３から送信させる。
【００３８】
第１装置１の通信部１３が第２装置２から送信された通知信号を無線ルータなどを経由して受信すると、制御部１５は、通信部１３が受信した通知信号に基いて、通知信号に含まれた項目を表示する画面を作成し、作成した画面を提示部１１に表示させる。
【００３９】
例えば、介護者が、ある対象者について場所、日時の見当識と人の認知が不十分であると判断した場合、これらの提示情報についての認知機能を表す認知状態情報を、他の項目についての認知機能を表す認知状態情報よりも低くするように第２装置２に入力する。この場合、第１装置１の提示部１１は、「ここはどこ」というボタンＢ１と、「いまはいつ」というボタンＢ２と、「このひとだれ」というボタンＢ３とを常時表示する（図３Ａ参照）。
【００４０】
介護者が、ある対象者について日時やスケジュールについての認知が不十分であると判断した場合、これらの提示情報についての認知機能を表す認知状態情報を、他の項目についての認知機能を表す認知状態情報よりも低くするように第２装置２に入力する。この場合、第１装置１の提示部１１は、図３Ｂに示すように３つのボタンＢ１１，Ｂ１２，Ｂ１３を表示する。上側のボタンＢ１１は、時（季節）に関する提示情報を表示させるためのボタンであり、「いまはいつ」という説明文が表示されている。中央のボタンＢ２は、直前に行った事柄に関する提示情報を表示させるためのボタンであり、「さっきしたこと」という説明文が表示されている。下側のボタンＢ１３は、対象者が次に行う事柄に関する提示情報を表示させるためのボタンであり、「つぎにすること」という説明文が表示されている。なお、介護施設１００では対象者が１日に行う事柄（食事、入浴、散歩、レクリエーションなど）の時間割（スケジュール）が予め計画されており、「さっきしたこと」とは時間割に計画されている直前の事柄を意味し、「つぎにすること」とは時間割に計画されている次の事柄を意味する。
【００４１】
また、ある対象者が、時間の認知及び過去の記憶が不十分であると判断されている場合に、特定の提示情報を表示させるためのボタン（特定項目）を第１装置１の提示部１１に常に表示させてもよい。この場合、第１装置１の提示部１１には図３Ｃのような画面が表示される。提示部１１の画面には３つのボタンＢ１４，Ｂ１２，Ｂ１３が表示されている。上側のボタンＢ１４は、特定の提示情報を表示させるためのボタン（特定項目）であり、「大事なこと」という説明文が表示されている。特定項目に対応する特定の提示情報とは、例えば対象者にとって重要な情報であって、対象者が特に覚えておきたい情報である。特定の提示情報としては、例えば、対象者の孫が次に訪問してくる訪問予定の情報や、対象者の近親者（例えば対象者の配偶者、父母、子、孫など）の情報（例えば近親者の顔写真の情報など）などがある。なお、介護者は、対象者から聞き取りを行って得た特定の提示情報を、第２装置２に予め登録しておけばよい。
【００４２】
対象者は、提示部１１の画面を見て、いずれかの提示情報を確認したければ、所望の提示情報に対応するボタンに触れる。対象者が提示部１１に表示されたボタンに触れると、選択部１２から制御部１５に選択されたボタンを示す操作信号が出力され、制御部１５は、この操作信号に基いて、選択されたボタン（項目）に対応した提示情報を記憶部１４から読み出し、提示部１１に表示させる。なお、制御部１５は、操作されたボタンに対応した提示情報を第２装置２に要求する要求信号を通信部１３から送信させ、第２装置２から返送された提示情報を提示部１１に表示させてもよい。対象者が、提示部１１に提示された提示情報を確認し、提示情報を認識しなおしたり、提示情報の再記憶を行うことで、当該項目についての認知機能の低下を抑制したり、認知機能を改善することができる。
【００４３】
また、制御部１５は、選択されたボタン（項目）に対応した提示情報を提示部１１に提示させた時点から、予め設定された表示時間（例えば数十秒から数分程度）が経過すると、提示部１１の画面をボタンを提示する画面に自動的に戻している。なお、制御部１５は、選択されたボタン（項目）に対応した提示情報を提示部１１に提示させた後に、対象者によって何らかのボタン（例えば復帰ボタン）が操作されると、提示部１１の画面をボタンを提示する画面に戻してもよい。
【００４４】
ここで、提示部１１に表示される提示情報を図４Ａ〜図４Ｅに例示する。なお、図４Ａ〜図４Ｅに示す提示情報は一例であり、適宜変更が可能である。
【００４５】
図４Ａは、対象者が「ここはどこ」というボタンＢ１に触れた場合に提示部１１に表示される画面の一例を示す。この画面の上側には、対象者が居住する介護施設１００の外観の画像Ｐ２が表示され、画像Ｐ２の下側には「新しいお家、足を悪くしてから移ったのよ」というメッセージＭ１が表示される。提示部１１の提示情報を確認した対象者は、いま自分がいる場所と、この場所にいる理由を確認でき、いま自分がいる場所についての認識をし直すとともに、安心感を得ることができる。なお、対象者が「ここはどこ」というボタンＢ１に触れた場合に、制御部１５は、第１装置１に内蔵されたＧＰＳ受信機から得た現在地の情報をもとに、地図や航空写真などに現在地を重ねて提示部１１に提示させてもよい。
【００４６】
図４Ｂは、対象者が「このひとだれ」というボタンＢ３に触れた場合に提示部１１に表示される画面の一例を示す。この画面の下側には、例えば対象者を担当する介護者の顔が判る画像Ｐ３が表示され、画像Ｐ３の上側には介護者の名前が入ったメッセージＭ２（例えば「松下です  よろしく！」など）が表示される。提示部１１の提示情報を確認した対象者が、介護者の顔と名前を再記憶することで、人についての認知機能の低下を抑制したり、認知機能の改善を図ることができる。
【００４７】
図４Ｃは、対象者が「いまはいつ」というボタンＢ２，Ｂ１１に触れた場合に提示部１１に表示される画面の一例を示す。時間に対する認知には、季節、日付、一日の中での朝・昼・晩・夜中などの時間帯についての認知があるが、図４Ｃは季節についての認知を促す提示情報の一例を示している。この画面の上側には、現在の季節を表すメッセージＭ３が表示され、このメッセージＭ３の下側には現在の季節の感じをよく表している事物の画像Ｐ４が表示される。メッセージＭ３や画像Ｐ４は、対象者に馴染みのある事物であるのが好ましく、対象者が子供の頃に過ごした場所、又は対象者が長い年月を過ごした場所に関連する内容であることが好ましい。例えば、対象者が京都に長い期間住んでいた場合に、現在の季節が夏であれば、夏の祭りである祇園祭に関連したメッセージＭ３や画像Ｐ４を提示すればよく、第１装置１は内蔵のスピーカから祇園祭のお囃子の音を出力させてもよい。また、現在の時間帯に合わせて、画像Ｐ４も朝であれば朝日が差す画像、昼であれば太陽が真上にある画像、夕方であれば夕暮れ時の画像としてもよい。提示部１１の提示情報を確認した対象者は現在の季節を確認でき、現在の季節を認識し直すことで、時についての認知機能の低下を抑制したり、認知機能を改善することができる。なお、メッセージＭ３や画像Ｐ４は対象者自身が設定してもよいし、対象者自身が設定できない場合は介護者が対象者の希望を聞いて設定してもよい。
【００４８】
図４Ｄは、対象者が「さっきしたこと」というボタンＢ１２に触れた場合に提示部１１に表示される画面の一例を示す。この画面の上側には、対象者が直前にした事柄を示すメッセージＭ４が表示され、このメッセージＭ４の下側には、対象者が直前に行った事柄に関する画像Ｐ５，Ｐ６が表示される。例えば、対象者が直前にした事柄が昼食を食べることであった場合、提示部１１には、「１２時に昼食を食べました」というメッセージＭ４と、食事の内容を写した画像Ｐ５と、対象者が昼食を食べている様子を写した画像Ｐ６とが表示されればよい。提示部１１の提示情報を確認した対象者は、直前に自分がした事柄を記憶し直すことができ、記憶障害の低下を抑制したり、認知機能の改善を図ることができる。
【００４９】
図４Ｅは、対象者が「つぎにすること」というボタンＢ１３に触れた場合に提示部１１に表示される画面の一例を示す。この画面の上側には、対象者が次に行う事柄を示すメッセージＭ５が表示され、このメッセージＭ５の下側には、対象者が次に行う事柄に関する画像Ｐ７が表示される。例えば、対象者が次に行う事柄がレクレーションである場合、提示部１１には、「次は３時のレクレーション！」というメッセージＭ５と、対象者が以前にレクレーションを行っている様子を写した画像Ｐ７とが表示されればよい。提示部１１の提示情報を確認した対象者は、次に自分がする事柄を記憶し直すことができ、未来の予定を把握する認知機能の低下を抑制したり、認知機能を改善することができる。
【００５０】
なお、本実施形態の認知機能支援システム１０において、第１装置１及び第２装置２とともにネットワークを構成するサーバ３を備えてもよい（図５参照）。サーバ３は、例えば介護施設１００の管理室１０３に設置されている。この場合、介護者が第２装置２に登録した対象者の認知状態情報や提示情報をサーバ３に蓄積しておき、第１装置１は、サーバ３にアクセスし、サーバ３から読み出した提示情報を提示部１１に表示してもよい。
【００５１】
また、制御部２５の機能をサーバ３が備えてもよく、介護者が使用する端末（コンピュータ２Ａ，２Ｂ）と、サーバ３とで、第２装置２（認知機能支援装置）を構成してもよい。この場合、介護者が使用するコンピュータ２Ａ，２Ｂの入力部２２に対象者の認知状態情報が入力されると、コンピュータ２Ａ，２Ｂからサーバ３に対象者の認知状態情報が送信される。そして、サーバ３が備える制御部２５の機能が、コンピュータ２Ａ，２Ｂから送信された認知状態情報をもとに、提示部１１が提示する１以上の提示情報の項目を決定し、その提示情報の項目を示す通知信号を第１装置１に送信する。第１装置１は、サーバ３から送信された通知信号をもとに、提示部１１に提示する提示情報の項目を変更しており、例えば対象者の認知機能が低い項目の提示情報を提示部１１に提示させることができる。
【００５２】
以上説明したように、本実施形態の認知機能支援システム１０は、第１装置１と、第２装置２とを備える。第１装置１は、対象者の認知機能を支援するための複数項目の提示情報のうち１以上の項目を対象者に提示する提示部１１、及び選択部１２を有している。第１装置１は、提示部１１が１以上の項目を提示している状態で選択部１２によっていずれかの項目が選択された場合は選択された項目の提示情報を提示部１１に提示させるように構成される。第２装置２は、提示情報の項目ごとに対象者の認知機能を表す認知状態情報が入力される入力部２２を有している。第２装置２は、入力部２２から入力された認知状態情報をもとに、提示部１１が提示する項目を決定するように構成されている。
【００５３】
このように、第２装置２は、入力部２２から入力された認知状態情報をもとに、提示部１１が提示する提示情報の項目を決定しているから、提示情報の項目ごとの認知状態情報に合わせて、提示部１１が提示する提示情報の項目を変更することができる。よって、対象者の認知機能の状態に応じた支援を行うことができる。
【００５４】
本実施形態の認知機能支援システム１０において、第２装置２は、入力部２２から入力された認知状態情報をもとに、複数項目の提示情報のうち認知機能が低い提示情報の項目を優先して提示するように、提示部１１が提示する項目を決定してもよい。
【００５５】
これにより、対象者の認知機能が低い項目の提示情報を、対象者が確認する機会を増やすことができ、認知機能が低い項目の提示情報について認知機能の低下を抑制したり、認知機能の改善を図ることができる。
【００５６】
本実施形態の認知機能支援システム１０において、第２装置２は、提示部１１が提示する１以上の項目として特定項目を含むように、提示部１１が提示する項目を決定してもよい。
【００５７】
これにより、提示部１１には特定項目が常に提示されるから、対象者は、選択部を用いて特定項目を選択することで、特定項目に対応した提示情報を確認することができる。よって、特定項目に対応した提示情報について、認知機能の低下を抑制したり、認知機能を改善することができる。
【００５８】
また、本実施形態のプログラムは、第１ステップと第２ステップとをコンピュータに実行させるためのプログラムである。第１ステップは、対象者の認知機能を支援するための複数項目の提示情報のうち１以上の項目を対象者に提示する提示装置（第１装置１）の項目ごとに入力部２２に入力された対象者の認知機能を表す認知状態情報を受け付けるステップである。第２ステップは、認知状態情報をもとに、提示装置（第１装置１）が提示する項目を決定するステップである。
【００５９】
このプログラムをコンピュータが実行することによって、提示装置（第１装置１）が提示する項目を、項目ごとの認知機能を示す認知状態情報に合わせて決定できるから、対象者の認知機能の状態に応じた支援を行うことができる。
【符号の説明】
【００６０】
１  第１装置
１Ａ，１Ｂ  端末装置（第１装置、提示装置）
２  第２装置
２Ａ，２Ｂ  コンピュータ（第２装置、認知機能支援装置）
３  サーバ
１０  認知機能支援システム
１１  提示部
１２  選択部
２２  入力部
２５  制御部
【図１】
0006551839.tif 000002
【図２】
0006551839.tif 000003
【図３】
0006551839.tif 000004
【図４】
0006551839.tif 000005
【図５】
0006551839.tif 000006